(57)【要約】      （修正有）【課題】スライドレールに対し引出部が容易に着脱可能であると共に、使用時に引出部がスライドレールから外れない引出装置を提供する。【解決手段】前方に開口部２１を有する収納庫本体２と、移動レール４２と固定レール４４を有して構成されるスライドレール４と、収納庫本体２の開口部２１を閉じる扉体３と、この扉体３に固定されると共に移動レール４２に接続される支持部材７２と、を有して構成される冷蔵庫１において、移動レール４２に取付片６１を設け、この取付片６１に前取付孔６７及び後取付孔６８を形成し、この前取付孔６７及び後取付孔６８に対応する前挿入突起７７及び後挿入突起７８を支持部材７２に設けると共に、前挿入突起７７及び後挿入突起７８の前縁部に係合凹部としての前突起切欠部及び後突起切欠部を形成する。【選択図】図４
2017029202.tif 000002
【特許請求の範囲】
【請求項１】
前方に開口部を有する箱体と、移動レールと固定レールを有して構成されるスライドレールと、前記箱体の開口部を閉じる引出部と、この引出部に固定されると共に前記移動レールに接続される支持部材と、を有して構成される引出装置において、
前記移動レールに取付片を設け、この取付片に取付孔を形成し、この取付孔に対応する挿入突起を前記支持部材に設けると共に、前記挿入突起の前縁部に係合凹部を形成したことを特徴とする引出装置。
【請求項２】
前記挿入突起が前後方向に複数設けられていることを特徴とする請求項１に記載の引出装置。
【請求項３】
最も後側の前記挿入突起は後側に突出した突出部を備えることを特徴とする請求項２に記載の引出装置。
【発明の詳細な説明】
【技術分野】
【０００１】
本発明は、スライドレールを用いた冷蔵庫の引出扉等の引出装置に関するものである。
【背景技術】
【０００２】
従来、この種の引出装置としては、引出扉に固定された扉フレームを断熱箱体に取り付けられたレール装置に固定することにより、引出扉を断熱箱体に取り付けた冷蔵庫が知られている（例えば、特許文献１参照）。このような引出装置は、引出扉に強固に固定された扉フレームが、レール装置に対しビス止めされるので、レール装置への引出扉の固定を確実に行うことができる。
【先行技術文献】
【特許文献】
【０００３】
【特許文献１】特開２００６−１７７６５３号公報
【発明の概要】
【発明が解決しようとする課題】
【０００４】
しかしながら、このような引出装置、特に冷蔵庫では、収容物がこぼれたり庫内に結露したりすることで、庫内が汚れることが起こりうるので、庫内を清掃しやすくする必要がある。引出扉から収納容器を取り外すことで、庫内を清掃することは可能であるが、引出扉自体が清掃の邪魔になるため、引出扉自体がレール装置に対し容易に着脱できることが望ましい。特許文献１においても、ビスを外すことで引出扉をレール装置から取り外すことは可能であるが、工具が必要であり、簡単に取り外すことができるとは言えなかった。
【０００５】
本発明は以上の問題点を解決し、スライドレールに対し引出部が容易に着脱可能であると共に、使用時に引出部がスライドレールから容易に外れない引出装置を提供することを目的とする。
【課題を解決するための手段】
【０００６】
本発明の請求項１に記載の引出装置は、前方に開口部を有する箱体と、移動レールと固定レールを有して構成されるスライドレールと、前記箱体の開口部を閉じる引出部と、この引出部に固定されると共に前記移動レールに接続される支持部材と、を有して構成される引出装置において、前記移動レールに取付片を設け、この取付片に取付孔を形成し、この取付孔に対応する挿入突起を前記支持部材に設けると共に、前記挿入突起の前縁部に係合凹部を形成したものである。
【０００７】
また、本発明の請求項２に記載の引出装置は、請求項１において、前記挿入突起が前後方向に複数設けられたものである。
【０００８】
また、本発明の請求項３に記載の引出装置は、請求項２において、最も後側の前記挿入突起が後側に突出した突出部を備えたものである。
【発明の効果】
【０００９】
本発明の請求項１に記載の引出装置は、以上のように構成することにより、引出部がスライドレールに対し容易に着脱可能であると共に、引出部を前方にスライドさせる際には、挿入突起の前縁部に形成された係合凹部が取付孔の前縁と係合することで、引出部がスライドレールから容易に外れないようにすることができる。
【００１０】
また、本発明の請求項２に記載の引出装置は、以上のように構成することにより、引出部をスライドレールに対して安定して保持させることができる。
【００１１】
また、本発明の請求項３に記載の引出装置は、以上のように構成することにより、挿入突起の係合凹部に取付片が係合する前の状態であっても、最も後側の挿入突起が浮き上がって取付孔から外れることを防止することができる。
【図面の簡単な説明】
【００１２】
【図１】本発明の実施例１を示す引出装置の斜視図である。
【図２】同、引出装置の扉体を引き出した状態の斜視図である。
【図３】同、引出装置の扉体を引き出した状態の右側面図である。
【図４】同、引出装置の扉体を取り外した状態の斜視図である。
【図５】同、扉体の要部拡大図である。
【図６】同、スライドレールに取り付けた取付片の斜視図である。
【図７】同、引出装置の要部拡大図である。
【図８】同、前後挿入突起と保持部の断面図である。
【発明を実施するための形態】
【００１３】
以下、本発明の実施例について、添付図１〜図８を参照して説明する。以下に説明する実施例は、特許請求の範囲に記載された本発明の内容を限定するものではない。また、以下に説明される構成の全てが、本発明の必須要件であるとは限らない。尚、図３における左側を前、右側を後、奥側を左、手前側を右として説明する。
【実施例１】
【００１４】
１は本発明の引出装置としての冷蔵庫である。この冷蔵庫１は、箱体としての収納庫本体２と、引出部としての扉体３と、スライドレール４と、収納庫本体２に保持される収納容器５とを有して構成される。
【００１５】
収納庫本体２は、外殻体１１と、天板１２と、冷蔵室１３とを有して構成されていると共に、冷蔵室１３の周囲には図示しない断熱材が充填されている。また、冷蔵室１３の上方には前後に摺動可能な引出１４が設けられている。
【００１６】
外殻体１１は、前面に開口部２１を有し、左右の側壁である本体側壁２２の上部には冷蔵庫１を持ち運び等する際に把持する本体把持部２３がそれぞれ形成されている。また、外殻体１１の底面である本体底面２４には、前側に２つの脚部２５、後側に２つの車輪２６が設けられている。
【００１７】
天板１２は、外殻体１１の上側に配設され、上面である天板上面３１の前側には冷蔵庫１の電源の入／切などを操作する操作部３２が設けられている。また、左右の側面である天板側面３３には電源コンセント３４がそれぞれ設けられている。尚、冷蔵庫１及び電源コンセント３４において使用される電気は、冷蔵庫１に備えられた図示しない電源コードを介して外部電源から供給される。
【００１８】
冷蔵室１３は、外殻体１１の内部に設けられた筐体４１により形成されている。冷蔵室１３は、スライドレール４によって前後方向に摺動自在な扉である扉体３により開閉される。スライドレール４は、移動レール４２と中間レール４３と固定レール４４の３つのレールが重なった構造を有し、全体として伸縮可能である。
【００１９】
筐体４１の左右の側壁には、前後方向に延びた略矩形状の溝である凹部４５が形成されており、この凹部４５に固定レール４４が螺子止めされている。固定レール４４には、中間レール４３が摺動自在に取り付けられており、この中間レール４３には、移動レール４２が摺動自在に取り付けられている。移動レール４２と中間レール４３は、固定レール４４と共に凹部４５に収納可能となっている。移動レール４２と中間レール４３と固定レール４４は、凹部４５に完全に収納されるため、冷蔵室１３内の収納スペースを確保することができると共に、移動レール４２と中間レール４３が摺動する際に冷蔵室１３に収納した収納物（図示せず）により摺動が阻害されることを防止することができる。
【００２０】
移動レール４２と中間レール４３を前方へ伸長すると、移動レール４２は全体が筐体４１から突出し、中間レール４３はその前側の一部が筐体４１から突出する。
【００２１】
次に、図６を参照して取付片６１について説明する。移動レール４２には、細長板状の部材を２箇所で略直角に折り曲げて形成した取付片６１が固定されている。取付片６１は、移動レール４２に当接する固定部６２と移動レール４２から略垂直に立設した保持部６３とを有して構成されている。固定部６２は、螺子６４により３箇所で取付片６１に固定されている。
【００２２】
保持部６３は、前側に形成された前保持部６５と後側に形成された後保持部６６とを有して構成され、前保持部６５の前側には矩形状の貫通孔である前取付孔６７が形成され、後保持部６６の後側には矩形状の貫通孔である後取付孔６８が形成されている。
【００２３】
図１，図２，図４に示すとおり、扉体３の前側の面である扉体前面６９には、扉体３を前後に摺動させる際に把持する扉体把持部７０が形成されている。また、図５，図７に示すとおり、扉体３の後側の面である扉体後面７１には、後方に立設した腕状の支持部材７２が左右２箇所に設けられている。支持部材７２は扉体３に螺子７３により固定されている。
【００２４】
次に、図５，図７，図８を参照して支持部材７２について説明する。支持部材７２は、水平方向に延設されたフレーム本体７４と、フレーム本体７４から下方に垂設した垂設部７５と、垂設部７５から水平方向に立設した容器受部７６と、フレーム本体７４の下面から垂設された挿入突起としての前挿入突起７７及び後挿入突起７８とを有して構成されている。左右の支持部材７２の後端側には、棒状の容器止部７９が取り付けられている。
【００２５】
収納容器５は、上部が開口した略矩形状の有底形状を有し、ペットボトル等に収容された飲料物等の収納物を収納することができるようになっている。この収納容器５の上部には、支持部材７２に収納容器５を載置した際にフレーム本体７４に当接する当接部（図示せず）が形成されている。また、扉体３及び容器止部７９は収納容器５が前後方向へ滑動することを防止する。
【００２６】
前挿入突起７７は、略矩形板状に形成されており、前縁部５１には略矩形状の切欠きである係合凹部としての前突起切欠部８１が形成されている。また、前挿入突起７７の下側の２箇所の角部である前突起角部８２は円弧状に形成されている。
【００２７】
前挿入突起７７と同様に板状に形成された後挿入突起７８には、前縁部５２に略矩形状の切欠きである係合凹部としての後突起切欠部８３が形成されている。また、前縁部５２の下端の角部である後突起角部８４は円弧状に形成されている。後挿入突起７８は、フレーム本体７４から垂下した垂下部８５と、垂下部８５の下方に形成された突出部８６とを有して構成されている。突出部８６は、垂下部８５よりも後方に長さｄだけ長く形成され、後方に向かって先細り形状を有し、先端が円弧状に形成されている。
【００２８】
扉体３は、支持部材７２がスライドレール４に固定された取付片６１に対して着脱されることにより収納庫本体２に対して着脱自在であり、扉体３を取り付けた状態では、前挿入突起７７が前取付孔６７に挿入され、後挿入突起７８が後取付孔６８に挿入される。
【００２９】
ここで、前取付孔６７と前挿入突起７７の関係、及び、後取付孔６８と後挿入突起７８との関係を説明する。図８（Ａ）に示すとおり、垂下部８５の後端を後取付孔６８の後側の縁である後取付孔後縁５６の位置に合わせた場合には、前取付孔６７の前側の縁である前取付孔前縁５３と前挿入突起７７との間に長さａの間隙が生じ、前取付孔６７の後側の縁である前取付孔後縁５４と前挿入突起７７との間に長さｂの間隙が生じ、後取付孔６８の前側の縁である後取付孔前縁５５と後挿入突起７８との間に長さｃの間隙が生じる。すなわち、前取付孔６７の前後方向の長さは前挿入突起７７の前後方向の長さよりもａ＋ｂの長さだけ長く形成されている。一方、後取付孔６８の前後方向の長さは後挿入突起７８の前後方向の長さよりもｄ−ｃの長さだけ短く形成されている。
【００３０】
ここで、扉体３を収納庫本体２に取り付ける手順について説明する。扉体３を収納庫本体２に取り付けるには、図７に示すとおり、支持部材７２を後側が低くなるように傾斜させ、後挿入突起７８の突出部８６を後取付孔６８に挿入し、垂下部８５を後取付孔６８の後側の縁である後取付孔後縁５６に当接させた後に支持部材７２の前側を降下させて後挿入突起７８全体を後取付孔６８に挿入する。その後、さらに支持部材７２の前側を降下させて前挿入突起７７を前取付孔６７に挿入させると、図８（Ｂ）に示すとおり前挿入突起７７が前取付孔６７に挿入され、後挿入突起７８が後取付孔６８に挿入された状態となり、支持部材７２が取付片６１に接続され、扉体３が収納庫本体２に取り付けられた状態となる。ここで、扉体３は支持部材７２の前側に固定されているため、扉体３と支持部材７２は全体として前側の重量が重くなる。そのため、支持部材７２を取付片６１に取り付けた状態では、支持部材７２の後側が上方に持ち上がろうとするが、突出部８６の上面である突出部上面８７が後保持部６６の下面である後保持部下面８８に当接するため、支持部材７２が持ち上がり支持部材７２が取付片６１から外れることを防止することができる。最後に、収納容器５を支持部材７２に載置し、扉体３を摺動させて収納庫本体２の開口部２１を閉じる。
【００３１】
扉体３を収納庫本体２に取り付けた状態で扉体３を前方に摺動させると、支持部材７２が取付片６１に対して前方に移動する。すなわち、図８（Ｃ）に示すとおり、前挿入突起７７が前取付孔６７内を前方に移動して前保持部６５が前突起切欠部８１に係合すると共に、後挿入突起７８が後取付孔６８内を前方に移動して後保持部６６が後突起切欠部８３に係合する。そのため、この状態では扉体３を上方に持ち上げても支持部材７２が取付片６１から外れない。すなわち、扉体３を前側に摺動させている時に誤って扉体３が外れることを防止することができる。
【００３２】
次に、扉体３を収納庫本体２から取り外す手順について説明する。まず、扉体３が収納庫本体２の開口部２１を閉じた状態から、扉体把持部７０を把持して扉体３を前側に摺動させる。次に、収納容器５を引き上げて支持部材７２から取り外す。この状態では、前保持部６５は前突起切欠部８１に係合すると共に、後保持部６６が後突起切欠部８３に係合している（図８（Ｃ）に示す状態）ため、扉体３を取付片６１に対し所定距離だけ後側へ移動させて前保持部６５と前突起切欠部８１の係合及び後保持部６６と後突起切欠部８３の係合を解除する（図８（Ｂ）に示す状態）。その後、扉体把持部７０を持ち上げることにより支持部材７２を前側が高くなるように傾斜させて前挿入突起７７を前取付孔６７から引き抜き、後挿入突起７８の後突起角部８４を後取付孔６８から引き抜き、最後に扉体把持部７０を前方斜め上方に引いて突出部８６を後取付孔６８から引き抜くことにより、扉体３を収納庫本体２から取り外すことができる。
【００３３】
以上のように、本実施例の引出装置としての冷蔵庫１は、前方に開口部２１を有する箱体としての収納庫本体２と、移動レール４２と固定レール４４を有して構成されるスライドレール４と、前記収納庫本体２の開口部２１を閉じる引出部としての扉体３と、この扉体３に固定されると共に前記移動レール４２に接続される支持部材７２と、を有して構成される冷蔵庫１において、前記移動レール４２に取付片６１を設け、この取付片６１に取付孔としての前取付孔６７及び後取付孔６８を形成し、この前取付孔６７及び後取付孔６８に対応する挿入突起としての前挿入突起７７及び後挿入突起７８を前記支持部材７２に設けると共に、前記前挿入突起７７及び後挿入突起７８の前縁部５１，５２に係合凹部としての前突起切欠部８１及び後突起切欠部８３を形成したことにより、扉体３がスライドレール４に対し容易に着脱可能であると共に、扉体３をスライドさせる際には扉体３がスライドレール４から容易に外れないようにすることができる。
【００３４】
また、前記前挿入突起７７及び後挿入突起７８を前後方向に設けたことにより、扉体３をスライドレール４に対し安定して保持することができる。
【００３５】
また、最も後側の前記後挿入突起７８が、後側に突出した突出部８６を備えることにより、支持部材７２の後側が扉体３の重量により上方に付勢されても、後挿入突起７８の突出部上面８７が後保持部６６の後保持部下面８８に当接するので、支持部材７２が浮き上がって取付片６１から外れることを防止することができる。その結果として、支持部材７２は取付片６１の保持部６３に対して略平行に保持され、扉体３を摺動させることにより前保持部６５を前突起切欠部８１に確実に係合させると共に、後保持部６６を後突起切欠部８３に確実に係合させることができる。
【００３６】
なお、本発明は上記実施形態に限定されるものではなく、本発明の要旨の範囲内において、種々の変形実施が可能である。例えば、冷蔵庫のように内部の温度を調節するものに限らず、温度調節機能を備えていない収納体に用いてもよい。
【符号の説明】
【００３７】
１  冷蔵庫（引出装置）
２  収納庫本体（箱体）
３  扉体（引出部）
４  スライドレール
２１  開口部
４２  移動レール
４４  固定レール
５１  前縁部
５２  前縁部
６１  取付片
６７  前取付孔（取付孔）
６８  後取付孔（取付孔）
７７  前挿入突起（挿入突起）
７８  後挿入突起（挿入突起）
８１  前突起切欠部（係合凹部）
８３  後突起切欠部（係合凹部）
８６  突出部
【図１】
2017029202.tif 000003
【図２】
2017029202.tif 000004
【図３】
2017029202.tif 000005
【図４】
2017029202.tif 000006
【図５】
2017029202.tif 000007
【図６】
2017029202.tif 000008
【図７】
2017029202.tif 000009
【図８】
2017029202.tif 000010